(57)【特許請求の範囲】
【請求項１】
照明光を発光する発光手段と、
前記発光手段に電流を供給可能であるとともに、内視鏡本体に内蔵された第１の電源手段と、
前記内視鏡本体に着脱可能であり、前記発光手段に電流を供給可能であり、前記第１の電源手段とは別体であるとともに、円筒形状の外周部を具備する第１の電気接点と、該第１の電気接点の中心部において中空部分を形成した円筒形状を具備する第２の電気接点と、が設けられた第２の電源手段と、
前記内視鏡本体に前記第２の電源手段が接続されている場合に、前記第１の電源手段と前記発光手段との電気的接続を遮断し、かつ、前記第２の電源手段と前記発光手段とを電気的に接続する接続手段と、
を具備し、
前記接続手段は、
前記第２の電気接点の前記中空部分に対して差し込み可能なピン形状の第１の接点部材と、
前記第１の接点部材が前記中空部分へ差し込まれた際に前記第１の電気接点と当接するように付勢されたバネ状の第２の接点部材と、
前記第２の接点部材に当接する第３の接点部材と、
を有し、
前記第２の接点部材は、前記第１の接点部材が前記中空部分に差し込まれていない場合においては、自身の少なくとも一部と前記第１の接点部材の中心軸との間隔が前記第１の電気接点の円筒の半径に比べて小さくなるような位置に配設され、かつ、自身に付された弾性力により前記第３の接点部材と当接し、前記第１の接点部材が前記中空部分に差し込まれた場合においては、自身に付された弾性力に抗して前記外周部の外側へ向かって移動することにより、前記第３の接点部材から離間することを特徴とする内視鏡装置。
【発明の詳細な説明】
【０００１】
【発明の属する技術分野】
本発明は、小型のバッテリ式光源を備えた携帯に便利な内視鏡装置に関する。
【０００２】
【従来の技術】
一般に、バッテリ式光源の内視鏡は携帯性に優れており、緊急時の処置や、ベットサイドでの処置のように、大きな光源装置を運び込むことが困難な場所での使用に優れた効果を発揮する。
【０００３】
例えば、特願平８−２０４９２４号では、光源ランプ用の電源として乾電池等のバッテリを搭載したバッテリ式光源を内視鏡本体の操作部に着脱自在に取り付けられるようにした内視鏡装置が提案されている。
【０００４】
バッテリ式光源を備えた内視鏡装置では、必要最低限の電気容量のバッテリが搭載され、バッテリ式光源の小型・軽量化が図られ、内視鏡装置の携帯性が確保されている。
【０００５】
また、バッテリ式光源を備えた内視鏡装置では、使用中にバッテリが切れた場合には、バッテリ式光源内のバッテリを新しいものと交換するか、或いはバッテリを充電し、引き続き内視鏡装置を使用する。
【０００６】
【発明が解決しようとする課題】
従来の技術で述べたようなバッテリ式光源を備えた内視鏡装置では、バッテリ式光源に常に決まった容量のバッテリが決まった個数搭載されるので、バッテリの持続時間つまり光源ランプの点灯時間は常に略同じである。
【０００７】
従って、内視鏡装置の使用時間が長引くと、バッテリの持続時間が不足してしまう場合があった。また、使用時間が長引くことが事前に明らかな場合でも、予め予備のバッテリを用意し、使用中に交換する等の対処が必要であつた。
【０００８】
また、通常の観察範囲より広い観察範囲を観察しようとする場合、照明光の光量が不足してしまうことがあった。また、光量を増やすために高輝度の光源ランプを用いると、電源容量が不足し光源ランプの点灯時間が極端に短くなったり、電源電圧が不足し所望の光量が得られないといった問題があった。
【０００９】
即ち、従来のバッテリ式光源を備えた内視鏡装置は、携帯性を確保するために、通常より長時間観察する利用場面や通常より大きい光量の照明で観察する利用場面といった多様な利用場面への対応性を損ねていた。
【００１０】
本発明は、上記事情に鑑みてなされたものであり、
携帯性を確保しつつ、通常より長時間観察する利用場面や通常より大きい光量の照明で観察する利用場面といった多様な利用場面への対応性を向上できる内視鏡装置を提供することを課題とする。
【００１１】
【課題を解決するための手段】
本発明の内視鏡装置は、照明光を発光する発光手段と、前記発光手段に電流を供給可能であるとともに、内視鏡本体に内蔵された第１の電源手段と、前記内視鏡本体に着脱可能であり、前記発光手段に電流を供給可能であり、前記第１の電源手段とは別体であるとともに、円筒形状の外周部を具備する第１の電気接点と、該第１の電気接点の中心部において中空部分を形成した円筒形状を具備する第２の電気接点と、が設けられた第２の電源手段と、前記内視鏡本体に前記第２の電源手段が接続されている場合に、前記第１の電源手段と前記発光手段との電気的接続を遮断し、かつ、前記第２の電源手段と前記発光手段とを電気的に接続する接続手段と、を具備し、前記接続手段は、前記第２の電気接点の前記中空部分に対して差し込み可能なピン形状の第１の接点部材と、前記第１の接点部材が前記中空部分へ差し込まれた際に前記第１の電気接点と当接するように付勢されたバネ状の第２の接点部材と、前記第２の接点部材に当接する第３の接点部材と、を有し、前記第２の接点部材は、前記第１の接点部材が前記中空部分に差し込まれていない場合においては、自身の少なくとも一部と前記第１の接点部材の中心軸との間隔が前記第１の電気接点の円筒の半径に比べて小さくなるような位置に配設され、かつ、自身に付された弾性力により前記第３の接点部材と当接し、前記第１の接点部材が前記中空部分に差し込まれた場合においては、自身に付された弾性力に抗して前記外周部の外側へ向かって移動することにより、前記第３の接点部材から離間することを特徴とする。
【００１２】
【発明の実施の形態】
以下、本発明の実施の形態を説明する。
【００１３】
（第１の実施の形態）
図１ないし図４は本発明の第１の実施の形態に係り、図１は内視鏡装置の全体構成を説明する説明図、図２はバッテリ式光源及び補助電源ユニットの接続部分等の構造を説明する説明図、図３はライトガイド口金及びバッテリ式光源の接続部分等の構造を説明する説明図（（Ａ）はライトガイド口金側の構造、（Ｂ）はバッテリ式光源側の構造、（Ｃ）は（Ｂ）のＢ−Ｂ面を示す図、（Ｄ）は（Ｂ）のＡ方向からの矢視図）、図４はライトガイド口金及びバッテリ式光源を接続した際の構造を説明する説明図である。
【００１４】
図１に示すように、本実施の形態の内視鏡装置１は、照明光を導光し導光した照明光を患部等の被写体に出射する照明光学系や照明された被写体を観察する観察光学系等を備えた内視鏡本体２、内視鏡本体２に着脱自在のバッテリ式光源３、バッテリ式光源３に電気的に接続される補助電源ユニット４等から主に構成されている。
【００１５】
内視鏡本体２は、細長の挿入部９、挿入部９の後端に設けられた操作部１０、操作部１０の後端に設けられた接眼部１１、操作部１０から突設されたライトガイド口金１２等を備えており、ライトガイド口金１２の端部にバッテリ式光源３のランプハウス６に設けられた接続口金１３を着脱自在に接続できるようになっている。
【００１６】
挿入部９は、先端部分に配設された硬質の先端部１４、先端部１４の後端に配設された湾曲自在の湾曲部１５、湾曲部１５の後端から操作部１０の前端までの部分に配設された可撓性を有する可撓部１６等を備えている。
【００１７】
操作部１０は、挿入部９寄りの箇所に配設された術者が把持する把持部１７、把持部１７の後端側に配設された湾曲操作レバー１８を備えており、湾曲操作レバー１８を回動操作することにより湾曲部１５を湾曲することができるようになっている。
【００１８】
また、操作部１０には、吸引を行う吸引ボタン１９、吸引ボタン１９の基端付近から突出するように配設された吸引口金２０が備えられている。吸引口金２０は、図示しないチューブを介して図示しない吸引機に接続され、吸引ボタン１９を操作することで、吸引チャンネルに連通する吸引口金２０を介して体液等を吸引することができるようになっている。
【００１９】
また、操作部１０の前端側には、鉗子等の処置具を挿入する錯子挿入口２１が形成されており、錯子挿入口２１は内部で吸引チャンネルに連通している。鉗子挿入口２１には鉗子栓２２が取り付けられている。
【００２０】
また、操作部１０には、通気口金２３が突設されており、通気口金２３から内視鏡本体２内部に空気を送ることができ、内視鏡本体２の水漏れの検査を行うことができるようになっている。
【００２１】
また、挿入部９内には、照明光を導光するここでは図示しないライトガイドファイバ２４が挿通されており、ライトガイドファイバ２４は操作部１０内で屈曲されて、ライトガイドファイバ２４の後端はライトガイド口金１２内で固定されている。
【００２２】
ライトガイド口金１２には、バッテリ式光源３の接続口金１３を図１中の矢印で示す方向に接続することができるようになっている。
【００２３】
バッテリ式光源３は、照明光を発する発光手段であるここでは図示しない光源ランプ５を内蔵したランプハウス６、発光手段に電力を供給する電源手段を内蔵したバッテリケース８等を備えている。ランプハウス６とバッテリケース８とは水密を確保しつつ螺合されて接続されている。
【００２４】
光源ランプ５からの照明光は、ライトガイド口金１２のここでは図示しないライトガイドファイバ２４の光入射端面２５に供給され、ライトガイドファイバ２４により導光され、先端部１４の照明窓に固定された先端面つまり光出射端面から前方に出射され、患部等の被写体を照明するようになっている。
【００２５】
照明された被写体は、先端部１４の照明窓に隣接する観察窓に配設された対物レンズにより結像位置に光学像を結ぶ。この結像位置には、図示しないイメージガイドファイバの先端面が配置されており、このイメージガイドファイバは被写体の光学像を接眼部１１側の端面に伝送する。接眼部１１では、接眼部１１の接眼窓に取り付けられた接眼レンズを介して、光学像を拡大観察することができる。
【００２６】
バッテリケース８の側面に配設された補助電源接続部７には、図１中の矢印で示すように、補助電源手段を内蔵した補助電源ユニット４を着脱自在に取り付けられるようになっている。
【００２７】
補助電源ユニット４の外観は、バッテリケース８の補助電源接続部７の外観形状に沿うような形状をしており、補助電源ユニット４に設けられた固定ダイヤル３７を回動させることで固定ネジ３８を補助電源接続部７に螺合させると、補助電源ユニット４をバッテリケース８に容易に確実に固定させることができるようになっている。
【００２８】
この時、補助電源ユニット４が補助電源接続部７に対し必ず決まった向きに取り付けられるように、前記補助電源ユニット４及び補助電源接続部７のそれぞれの接合面の対向する箇所には係合部が形成されている。
【００２９】
図２に示すように、バッテリ式光源３の内部には、発光手段としての光源ランプ５と、電源手段としての乾電池や充電池といった電池３９と、電源スイッチ４０とを接続した光源回路が構成されている。
【００３０】
光源ランプ５や電池３９は、交換することができるようになっている。
【００３１】
電池３９のプラス極及びマイナス極は、補助電源接続部７に配設された電気接点４１ａ、４１ｂにそれぞれ接続されている。
【００３２】
電気接点４１ａは、外部に対し水密を保たれており、光源回路から電気的に接続されたベース部材４２ａ、ベース部材４２ａに接触したスプリング４３ａ、スプリング４３ａにより補助電源接続部７に付勢された接点片４４ａから構成されている。電気接点４１ｂも同様に、ベース部材４２ｂ、スプリング４３ｂ、接点片４４ｂから構成されている。
【００３３】
補助電源接続部７には、接点片４４ａ、４４ｂが付勢される位置に、補助電源ユニット４の電極４５ａ、４５ｂを差し込むための電極受け孔４６ａ、４６ｂが形成されている。
【００３４】
前記補助電源接続部７及びバッテリケース８は絶縁部材で形成されており、接点片４４ａ、４４ｂが補助電源接続部７やバッテリケース８に接触していても電池３９がショートすることはないようになっている。
【００３５】
補助電源ユニット４は、絶縁部材で外装され、外部に対して水密を確保されており、  その内部に交換可能な補助電源手段としての乾電池や充電池といった補助電池６１が交換可能に収納されている。補助電池６１のプラス極及びマイナス極は、電極４５ａ、４５ｂにそれぞれ電気的に接続されている。
【００３６】
従って、補助電源ユニット４をバッテリ式光源３に接続すると、電池３９と補助電池６１とが並列に接続されるようになっている。
【００３７】
また、ランプハウス６には光源ランプ５の点灯・消灯を行うための電源スイッチ４０が設けられている。前記電源スイッチ４０は、ランプハウス６に対し回動可能で、水密が確保されている。
【００３８】
図３（Ａ）に示すように、操作部１０の側部から、ライトガイド口金１２を構成するライトガイドロッド２６が水密を確保されつつ突設されている。
【００３９】
ライトガイドロッド２６内には、ライトガイドファイバ２４が挿通し、ライトガイドファイバ２４の端部近傍は、ライトガイドロッド２６にネジで固定されている。
【００４０】
、ライトガイドロッド２６の端部には、カバーガラス２７が水密を確保を確保されつつ固定されている。
【００４１】
ライトガイドロッド２６のカバーガラス２７より操作部１０寄りの位置には、図示しない既存の光源装置に接続可能なライトガイドケーブルを取り付けるネジ部２８が形成されている。
【００４２】
ライトガイドロッド２６のネジ部２８より操作部１０寄りの位置には、バッテリ式光源３を接続固定するための固定ピン２９が螺合され水密的に取り付けられている。
【００４３】
ライトガイドロッド２６の端部近傍を除く外周面は、断熱性の材質で形成された防熱カバー３０で覆われている。防熱カバー３０は、一端が操作部１０に固定され、他端は固定ピン２９が隠れる程度の箇所まで延びている。固定ピンの位置に対応する防熱カバー３０の外周の位置には、隠れた固定ピン２９の位置が確認できるように指標３１ａが形成或いは表示されている。
【００４４】
ライトガイドロッド２６と防熱カバー３０との間の空間には、弾性のバネ３２、及びバネ３２によりライトガイドロッド２６端部側に付勢されたワッシャ３３が配設されている。
【００４５】
ワッシャ３３は、防熱カバー３０の内面に形成された摺動規制段部３４により外に飛出さないようになっている。
【００４６】
ライトガイドロッド２６の中間部には、外周部分を切り欠いたくびれ部３５が形成されており、防熱カバー３０との空間がより広くなるようになっている。この空間は、防熱カバー３０の周囲に形成された複数のスリット３６により外気と連通しており、ライトガイドロッド２６からの熱を外部に逃がすことができる構造になっている。
【００４７】
図３（Ｂ）に示すように、ランプハウス６には、内視鏡のライトガイド口金１２に接続可能するための接続口金１３が延出している。
【００４８】
接続口金１３は、ランプハウス６に形成された穴に嵌め込まれ、接続口金１３は、ランプハウス６の上面凹部に嵌め込まれた剛性のプレート５４との間にランプハウス６を挟み込むようにして、ネジで固定されている。なお、ランプハウス６と接続口金１３との接続部分は水密が確保されている。
【００４９】
光源ランプ５は、バルブの先端側がレンズ状に形成されている。
【００５０】
光源ランプ５の光軸上には、ライトガイドファイバ２４の光入射端面２５に光を集光させるための集光レンズ４７が配設されている。この集光レンズ４７は円筒状のレンズ保持筒４８の光源ランプ５寄りの端部に水密を確保されつつ接着固定されている。
【００５１】
レンズ保持筒４８は、接続口金１３の内部で、その軸方向に移動可能に配設されている。接続口金１３とレンズ保持筒４８との間には、水密リング４９が設けられ、外部からの水の浸入を防ぐとともに、レンズ保持筒４８が接続口金１３内でガタつくことを防いでいる。
【００５２】
レンズ保持筒４８には、図３（Ｃ）に示すようなカム溝５０が形成されており、また、接続口金１３の同位置には図３（Ｃ）の破線で示すようなスリット５３が形成されており、接続口金１３の根元部外周に回動可能に設けられた配光角調整ダイヤル５１から内側に突き立ったカムピン５２がカム溝５０及びスリット５３の各々に係合している。
【００５３】
また、レンズ保持筒４８には、前記レンズ保持筒４８が接続口金１３内で光軸まわりに回動しないよう、レンズ保持筒４８の長手方向に形成された溝部５７に、接続口金１３に一端を固定した回動規制ピン５８が係合している。
【００５４】
接続口金１３には、図３（Ｄ）に示すように、端部で開口した、周方向の略９０°の範囲に形成された、ライトガイド口金１２側の固定ピン２９が係入されるピン溝５５が形成されており、このピン溝５５の終端部５５ａの近傍の位置には、この終端部を示す指標３１ｂが表示或いは形成されている。
【００５５】
（作用）
以下、使用手順等の説明を通して作用を説明する。
【００５６】
本実施の形態の内視鏡装置１を用いて検査を行う場合、先ずバッテリ式光源３のバッテリケース８に電池３９を装填し、補助電源ユニット４に補助電池６１を装填する。
【００５７】
次に、バッテリ式光源３を内視鏡本体２ののライトガイド口金１２に接続する。
【００５８】
バッテリ式光源３の接続口金１３のピン溝５５の開口部をライトガイド口金１２の固定ピン２９に位置させ、バッテリ式光源３を押し込み、固定ピン２９がピン溝５５の終端部５５ａに位置するまでバッテリ式光源３を回動させると、接続口金１３がライトガイドロッド２６と防熱カバー３０との隙間に嵌挿され、ライトガイド口金１２内のバネ３２の弾性力で接続口金１３が内視鏡本体２の操作部１０より遠ざかる方向ヘ付勢され、固定ピン２９がピン溝５５の終端部５５ａに確実にロックされ、バッテリ式光源３が内視鏡本体２にガタつくことなく装着された図４に示す状態となる。
【００５９】
続いて、電源スイッチ４０をＯＮ側に回動させる、電池３９から光源ランプ５に電流が供給され、光源ランプ５が点灯し、集光レンズ４７により集光された光がライトガイドファイバ２４の光入射端面２５からライトガイドファイバ２４を伝送して挿入部９の先端部１４にある光出射端面から前方に出射され、患部等の被写体が照明される。
【００６０】
この時、観察時間が長期にわたることが予め明らかである場合には、補助電源ユニット４をバッテリ式光源３の補助電源接続部７に接続する。
【００６１】
補助電源ユニット４の固定ダイヤル３７を回動させ、固定ネジ３８をバッテリ式光源３の補助電源接続部７の雌ネジ部に螺合させる。回動が止まるまで固定ダイヤル３７を締め付けると、補助電源ユニット４がバッテリ式光源３に確実に固定され、補助電源ユニット４の電極４５ａ、４５ｂが補助電源接続部７の電極受け孔４６ａ、４６ｂを挿通し接点片４４ａ、４４ｂに当接する。前記電極と接点片はスプリング４３ａ、４３ｂの弾性力により確実に接触し、電気的導通状態になる。
【００６２】
すると、バッテリ式光源３に装填された電池３９と補助電源ユニット４に装填された補助電池６１とが並列につながった光源回路が構成される。補助電池６１は、電池３９と電圧が略同じものを使用するようにすれば、電源電圧は補助電源ユニット４接続前後で変わらないので、この時に光源ランプ５の交換を必要とせず、その場の状況に応じて即座に補助電源ユニットを着脱することができる。
【００６３】
また、補助電源接続部７と補助電源ユニット４とは一義的に取付け向きが決まるような接続部形状をしているため、プラスとマイナスの極性を誤つて接続することはない。
【００６４】
一方、観察対象部位の状態や目的に応じて照明光の配光角を変化させる場合、バッテリ式光源３の配光角調整ダイヤル５１を回動させると、カムピン５２が周方向に動き、図４中の矢印で示すように、レンズ保持筒４８がカム溝５０のピッチ分だけ光軸方向に前後移動する。
【００６５】
すると、光源ランプ５とライトガイドファイバ２４の光入射端面２５との位置は固定されたままの状態で、これらの間に位置する集光レンズ４７が光軸方向に前後移動するので、前記光入射端面２５に入射する光の角度が随時変化する。この時、ライトガイドファイバ２４では入射した光の角度と同じ角度で出射するので、照明光の配光角が変化することになる。
【００６６】
一方、光源ランプ５の点灯時、ランプから発生する熱は、レンズ保持筒４８、接続口金１３を伝わりライトガイドロッド２６を加熱する。ライトガイドロッド２６の術者が内視鏡本体２を保持する際に触れる部分は、防熱カバー３０で覆われており、且つライトガイドロッド２６と防熱カバー３０との間に確保された空気層により断熱効果が増し、熱傷等を防止できる。この空気層をなしている空間は、スリット３６により大気と連通しているため、この部分に熱がこもらないようになっている。
【００６７】
内視鏡装置１による観察が終了したら、電源スイッチ４０をＯＦＦにし、光源ランプ５を消灯させ、バッテリ式光源３を内視鏡本体２側に押し込んで固定ピン２９のロックを解除し、固定ピン２９がピン溝５５に沿うようにバッテリ式光源３を回動させ内視鏡本体２から取り外す。
【００６８】
例えば術後、内視鏡装置１を消毒・滅菌する場合、内視鏡本体２、バッテリ式光源３、補助電源ユニット４は、それぞれ水密構造であるので、各種薬液に浸漬可能である。また、エチレンオキサイドガスによる滅菌を行う場合、バッテリ式光源３及び補助電源ユニット４はそのままの状態で行い、一方内視鏡本体２は通気口金２３に図示しない大気連通口金を接続して行う。
【００６９】
（効果）
以上述べた本実施の形態による主要な効果を以下に挙げる。
【００７０】
バッテリ式光源８に着脱自在な補助電源ユニット４を接続できるようにし、接続時はバッテリ式光源８内の電池３９と補助電源ユニット４内の補助電池６１とが並列つなぎになるように構成したので、使用目的に応じて、補助電源ユニット４を外せば携帯性を維持でき、また補助電源ユニット４を接続すれば光源ランプ５の点灯時間を長くでき、多様な利用場面への対応性が向上する。
【００７１】
また、観察中に配光角を変えることができるので、ある程度近点よりの観察領域をムラなく照明する場合と、より深い深度をスポット照明する場合との両方を同じ内視鏡装置１で実現することができる。また、電池残量が少なくなり、照明光量が減衰しても、照明光を視野の中央に絞り込むことで検査を続行できるだけの明るさを確保することが出来る。
【００７２】
（第２の実施の形態）
図５ないし図９は本発明の第２の実施の形態に係り、図５はバッテリ式光源及び補助電源ユニットの接続部分等の構造を説明する説明図、図６はランプホルダが点灯位置にある際のランプハウスとライトガイド口金の接続部分周辺の構造を説明する説明図（（Ａ）は断面図、（Ｂ）はランプホルダ後面を示す図）、図７は周回溝の展開図、図８はランプホルダが消灯位置にある際のランプハウス周辺の構造を説明する説明図（（Ａ）は断面図、（Ｂ）はランプホルダ後面を示す図）、図９はランプホルダがランプホルダ取り外し位置にある際のランプハウス周辺の構造を説明する説明図（（Ａ）は断面図、（Ｂ）はランプホルダ後面を示す図）である。
【００７３】
図５に示すように、バッテリ式光源２０３の内部には、光源ランプ２０５→電源スイッチ４０→補助電源接続部２０７の電気接点４１ｂ→電気接点４１ａ→電池３９→光源ランプ２０５といった電流の流れの光源回路が構成されている。
【００７４】
補助電源接続部２０７の電気接点４１ａ、４１ｂは、第１の実施の形態と略同様に、ベース部材４２ａ、４２ｂ、スプリング４３ａ、４３ｂ、接点片４４ａ、４４ｂで構成されている。
【００７５】
本実施の形態では、接点片４４ａ、４４ｂがスプリング４３ａ、４３ｂの弾性力で当接する補助電源接続部２０７の裏面の箇所に、接点片４４ａと接点片４４ｂとを電気的に接続するための導電板５９が取り付けられている。これにより、補助電源ユニット４をバッテリ式光源２０３に接続しない状態では、光源回路の電気接点４１ａと電気接点４１ｂとの間は電気的に閉じた状態となる。
【００７６】
電極受け孔４６ａ、４６ｂの位置に対応する導電版５９の箇所には、補助電源ユニット４の電極４５ａ、４５ｂを挿入しても接触しない程度に大きな貫通孔５９ａ、５９ｂが形成されている。
【００７７】
補助電源接続部２０７及びバッテリケース２０８は絶縁材料で形成されている。
【００７８】
本実施の形態では、補助電源ユニット４をバッテリ式光源２０３に接続すると、電池３９と補助電池６１とは直列つなぎになるようになっている。
【００７９】
この時、補助電源接続部２０７に対し、補助電源ユニット４が必ず決まった向きに取り付けられるように、前記補助電源ユニット４と補助電源接続部２０７との接合面に係合部が形成されている。
【００８０】
図６は、内視鏡本体２のライトガイド口金１２にバッテリ式光源２０３を装着し、点灯状態に設定した際のバッテリ式光源２０３のランプハウス２０６周辺の構造を示している。
【００８１】
ランプハウス２０６には、ランプホルダ６３を収納する貫通孔であるランプホルダ収納部６４が形成されており、ランプホルダ収納部６４の後端に形成されたランプホルダ挿入口６５から、光源ランプ２０５が取り付けられたランプホルダ６３が装着されるようになっている。
【００８２】
また、ランプハウス２０６の接続口金２１３内には、集光レンズ４７を光源ランプ２０５の光軸上に保持するレンズ保持筒２４８が、水密を保ちつつ、固定ビス６２で固定されている。
【００８３】
ランプホルダ６３は、コイルバネ６６の弾性力に抗して前側に押し付けるようにランプホルダ挿入口６５に挿入され、ランプホルダ収納部６４に装着されるようになっている。
【００８４】
ランプホルダ６３は略円柱形状に形成されており、ランプホルダ６３前端には凹部が形成されており、この凹部には内周にネジヤマが形成されたランプ装着部材６７が嵌入されている。このランプ装着部材６７に、光源ランプ２０５を着脱自在に螺合して装着するようになっている。
【００８５】
ランプホルダ収納部６４内周には、リフレクタ６８が嵌め込まれており、このリフレクタ６８後部寄り内周には、円筒形状のバネ押え部材６９が螺合しており、このバネ押え部材６９後端部分はランプハウス２０６内周に螺合し固定されている。
【００８６】
バネ押え部材６９の内周側には、コイルバネ６６が配置されている。このコイルバネ６６の前端部分は胴体部分より径が大きく形成されており、コイルバネ６６の前端部分は、リフレクタ６８に形成された段部とバネ押え部材６９とで前後から挟み付けられ固定されている。このコイルバネ６６は、ランプ装着部材６７を後方側に付勢している。
【００８７】
バッテリケース２０８には、ランプホルダ挿入口６５内周側に突出するように接点ピン７０が設けられている。図６に示す状態では、接点ピン７０は、ランプホルダ６３に形成された周回溝７１に係入されている。
【００８８】
ランプホルダ６３の外周面にはＯリング溝が形成され、このＯリング溝にＯリング７２が取り付けられている。図６に示す状態では、Ｏリング７２はランプホルダ挿入口６５内周と圧接し、水密を保持している。
【００８９】
ランプホルダ６３には、光源ランプ２０５後端の電極に当接するためのランプ接点板７３が固定ピン７４でカシメ固定されている。また、この固定ピン７４は、周回溝７１の底部に配設したスイッチ接点板７５を固定し、ランプ接点板７３とスイッチ接点板７５とを電気的に接続している。
【００９０】
スイッチ接点板７５は、図６に示す点灯状態では、バッテリケース２０８から突出している接点ピン７０と接触しており、これにより、バッテリケース２０８内の電池３９の一方の極と光源ランプ６９とが電気的に接続されている。
【００９１】
接点ピン７０は、バッテリケース２０８内のスプリング７６の弾性力でランプホルダ挿入口６５側に突出するように付勢されており、スイッチ接点板７５と確実に接触するようになっている。
【００９２】
本実施の形態では、これらスイッチ接点板７５及び接点ピン７０が、光源回路の電源スイッチ４０（図５参照）を構成している。
【００９３】
一方、バッテリケース２０８内の電池３９の他方の電極は、導電板７７の一端に接触し、電気的に導通している。この導電板７７の他端は、図６に示すようにコの字状に折り曲げられて、ランプホルダ収納部６４内周でリフレクタ６８に接触している。導電板７７は、リフレクタ６８、コイルバネ６６、ランプ装着部材６７を介して、光源ランプ２０５の側部側の電極と電気的に接続されている。
【００９４】
図６（Ｂ）に示すように、ランプホルダ６３の後面には、ランプホルダ６３を回動させた位置つまり回動位置を知ることができる指標が印字されている。なお、図６（Ｂ）は図６（Ａ）をランプホルダ６３後方つまり紙面右方から見た図である。
【００９５】
本実施の形態の例では、ランプホルダ６３後面の指標「ＯＦＦ」が上方に位置するときは光源ランプ２０５が消灯する消灯位置であることを表し、指標「ＯＮ」が上方に位置するときは光源ランプ２０５が点灯する点灯位置であることを表し、指標「ＥＪＥＣＴ」が上方に位置するときはランプホルダ６３をランプハウス２０６から取り外しできるランプホルダ取り外し位置であることを表すように指標が印字されている。また、本実施の形態では、消灯位置は、ランプホルダ６３をランプハウス２０６に取り付けることができるランプホルダ取り付け位置を兼ねている。
【００９６】
図６（Ｂ）では、指標「ＯＮ」が上方を向いており、ランプホルダ６３が点灯位置にあることを表している。
【００９７】
また、図６（Ｂ）示す状態から反時計回りに９０°の範囲は点灯範囲となっている。
【００９８】
これらの指標は、「ＯＮ」、「ＯＦＦ」、「ＥＪＥＣＴ」に限らず、操作者が理解できるどのような文字列でもよいし、記号や絵柄等でもよい。
【００９９】
図７は周回溝７１の展開図である。なお、図７で、紙面の左右方向はランプホルダ６３の前後方向に対応し、紙面の上下方向はランプホルダ６３の回動方向に対応している。また、図中で「点灯位置」と記されている箇所は、周回溝７１のこの箇所に接点ピン７０が位置する際に、この時点のランプホルダ６３の回動位置が点灯位置であることを示している。「点灯範囲」、「ランプホルダ取付位置」、「消灯位置」、「ランプホルダ取外し位置」と記されている箇所についても同様である。また、図中に記されている角度は、消灯位置つまりランプホルダ取り付け位置を基準とした相対的な回動角度である。
【０１００】
点灯位置から９０°の範囲つまり点灯範囲では、周回溝７１の底部にスイッチ接点板７５が配設されており、両端は固定ピン７４で固定されている。従って、周回溝７１の点灯範囲に接点ピン７０が位置する際には、接点ピン７０がスイッチ接点板７５に当接し、光源ランプ２０５が点灯するようになっている。
【０１０１】
また、点灯範囲では、周回溝７１は、前後方向つまり紙面の左右方向に傾いて形成されている。従って、点灯範囲でランプホルダ６３を回動させると、周回溝７１と接点ピン７０とからなるカム機構によって、ランプホルダ６３が前後方向に移動するようになっている。
【０１０２】
また、点灯範囲では、操作力が加えられていない時にランプホルダ６３の位置が容易に動かないように、点灯範囲における周回溝７１の側壁面に接点ピン７０を係止できるクリック部８０が形成されている。
【０１０３】
ランプホルダ取り付け位置では、周回溝７１の前方に接点ピン７０が周回溝７１外から周回溝７１内へ相対的に移動する際の経路である後述するスロープ部７８が形成されており、また、ランプホルダ取り外し位置では、周回溝７１の前方に接点ピン７０が周回溝７１外へ相対的に移動するための後述するスロープ部７９が形成されている。
【０１０４】
周回溝７１のスロープ部７９以外の箇所では、接点ピン７０は周回溝７１の段部に阻まれて、接点ピン７０は周回溝７１の外へ移動することができないようになっている。つまり、不用意にランプホルダ６３がランプハウス２０６が外れないようになっている。
【０１０５】
図８（Ａ）に示す状態では、ランプホルダ６３の回動位置は消灯位置になっている。
【０１０６】
消灯位置では、図８（Ｂ）に示すように、消灯位置を表す指標「ＯＦＦ」が上向きになっている。
【０１０７】
消灯位置では、図８（Ａ）及び図７に示すように、接点ピン７０は、スイッチ接点板７５に接していないため、光源ランプ２０５は点灯しない。
【０１０８】
また、消灯位置は、ランプホルダ６３をランプハウス２０６に取り付けるためのランプホルダ取り付け位置を兼ねている。
【０１０９】
ランプホルダ６３外周前端側の一部には、前端側程徐々にランプホルダ６３外径が細くなるように切り欠かれたスロープ部７８が形成されている。
【０１１０】
図８（Ａ）に示すように、ランプホルダ６３が消灯位置ある時には、スロープ部７８は、下側つまり接点ピン７０のある側を向くように配置されている。
【０１１１】
ランプホルダ６３をランプハウス２０６に装着する際、ランプホルダ６３を消灯位置にしてランプホルダ挿入口６５後方から前方へ押し込むと、ランプホルダ６３はコイルバネ６６の弾性力を受けながら挿入されていく。この時、スプリング７６でランプホルダ６３に向けて付勢された接点ピン７０は、スロープ部７８に押し当てられているので、ランプホルダ６３は滑らかに前方へ挿入されていく。スロープ部７８を接点ピン７０のある側に向けないでランプホルダ６３を挿入しようとすると、接点ピン７０の側方にランプホルダ６３の前端部分が引っかかり、ランプホルダ６３を挿入することができない。
【０１１２】
接点ピン７０がスロープ部７８に接している状態から更にランプホルダ６３を前方に押し込むと、接点ピン７０はスロープ部７８を乗り越え、スロープ部７８より後方に形成されている周回溝７１に係入され、接点ピン７０はスロープ部７８を逆行できないのでランプホルダ６３はランプハウス２０６に係止され、図８（Ａ）に示すようなランプホルダ６３がランプハウス２０６に装着された状態となる。
【０１１３】
ランプホルダ６３をランプホルダ取り付け位置つまり消灯位置から反時計回りに９０°回動させると点灯位置となり、また、時計回りに９０°回動させた場合には後述するランプホルダ取り外し位置となる。
【０１１４】
図９（Ａ）に示す状態では、ランプホルダ６３の回動位置はランプホルダ取り外し位置になっている。
【０１１５】
ランプホルダ取り外し位置では、図９（Ｂ）に示すように、ランプホルダ取り外し位置を表す指標「ＥＪＥＣＴ」が上向きになっている。
【０１１６】
ランプホルダ取り外し位置では、図９（Ａ）及び図７に示すように、接点ピン７０は、スイッチ接点板７５に接していないため、光源ランプ２０５は点灯しない。
【０１１７】
図９（Ａ）に示すように、ピン７０が当接する周回溝７１の箇所の前壁には、前方程徐々にランプホルダ６３の径が大きくなるような切り欠きであるスロープ部７９が形成されている。このスロープ部７９が形成されているので、ピン７０の前方側は係止が解除された状態となり、ピン７０に妨げられずに、ランプホルダ６３を後方に移動させることができるようになっており、ピン７０がスロープ部７９を乗り越えるまでランプホルダ６３を後方へ引き抜くと、ランプホルダ６３をランプハウス２０６から取り外すことができるようになっている。
【０１１８】
（作用）
以下、使用手順等の説明を通して作用を説明する。
【０１１９】
光源ランプ２０５の光量が不足する場合、第１の実施の形態と同様の要領で、補助電源ユニット４をバッテリ式光源２０３の補助電源接続部２０７に接続・固定する。
【０１２０】
この時、導電板５９の貫通孔５９ａ、５９ｂは、電極受け孔４６ａ、４６ｂの径よりも大きいため、補助電源ユニット４の電極４５ａ、４５ｂが導電板５９に接触することはない。また、補助電源接続部２０７及びバッテリケース２０８は絶縁部材から構成されているので、補助電源ユニット４がショートすることはない。
【０１２１】
また、この時、補助電源接続部２０７と補助電源ユニット４は一義的に取り付け向きが決まるような接続部形状をしており、プラスとマイナスの極性を誤つて接続することはない。
【０１２２】
補助電源ユニット４がバッテリ式光源２０３に接続されると、電池３９と補助電池６１が直列つなぎになった光源回路が構成される。電源電圧が増えるので、予め光源ランプ２０５は電圧変化に対応できるものか、或いは電池３９のみの場合より高い定格電圧の光源ランプを用いる。これにより、光源ランプ２０５を点灯させると高輝度の照明光を得ることができる。
【０１２３】
内視鏡検査を行う場合、図８に示す消灯位置のランプホルダ６３を反時計回りに９０゜回動させて、つまり図６に示す点灯位置までランプホルダ６３を回動させると、光源ランプ２０５が点灯する。
【０１２４】
ここで、観察部位や目的に応じて照明光の配光角を変化させる場合、図６に示すランプホルダ６３の回動位置から反時計回りに９０°の範囲で引き続き回動させる。
【０１２５】
すると、周回溝７１のピッチ分、光軸方向に光源ランプ２０５が移動する。内視鏡の光入射端面２５と集光レンズ４７及びリフレクタ６８の位置は固定されたままの状態で、光源ランプ２０５のみが光軸方向に前後移動するため、光入射端２５に入射する光の角度が変化する。この時、ライトガイドファイバの特性として、入射した光の角度と同じ角度で出射するので、照明光の配光角が変化することになる。
【０１２６】
（効果）
以上の述べた本実施の形態によれば、第１の実施の形態で述べた効果の他に、以下に挙げる効果が得られる。
【０１２７】
バッテリ式光源２０３に補助電源ユニット４を接続すると、バッテリ式光源２０３内の電池３９と補助電源ユニット４内の補助電池６１が直列つなぎになるように構成したため、光源ランプ２０５に印可される電圧が増加させることができ、バッテリ式光源２０３単独の場合よりも大きな光量の照明光を得ることが可能となる。従って、使用目的に合わせて、携帯性と光量増加とのいずれかを選択することができ、内視鏡装置１の適用場面を広げることができる。
【０１２８】
（第３の実施の形態）
本実施の形態では、第１の実施の形態で説明した電池３９と補助電池６１とを並列接続した光源回路と、第２の実施の形態で説明した電池３９と補助電池６１とを直列接続した光源回路を１台のバッテリ式光源で切り替え可能な回路構成にする。
【０１２９】
本実施の形態によれば、使用目的に合わせて、携帯性、電源持続時間の増加、光量の増加のいずれかを選択することができ、適用場面が広がる。
【０１３０】
（第４の実施の形態）
図１０ないし図１２は本発明の第４の実施の形態に係り、図１０は内視鏡装置の全体構成を説明する説明図、図１１は内視鏡本体及び電源ユニットの接続部分等の構造を説明する説明図、図１２は内視鏡本体及び電源ユニットの接続部分等の構造を説明する説明図である。
【０１３１】
なお、本実施の形態で説明しない部位の構成や作用は、第１の実施の形態で説明した構成や作用と同様である。
【０１３２】
図１０に示すように、内視鏡装置３０１は、内視鏡本体３０２、電源ユニット３０３から主に構成される。
【０１３３】
内視鏡本体３０２の操作部３１０下方内部には、光源ランプ３０５が配設されている。
【０１３４】
光源ランプ３０５は、電源スイッチ８６を有するランプホルダ３６３に通電可能に螺合しており、ランプホルダ３６３は水密を保ちつつ操作部３１０に着脱可能となっている。
【０１３５】
電源スイッチ８６は、ランプホルダ３６３を回動操作することで、開閉の状態を切り替えるようになっている。
【０１３６】
電源ユニット３０３には、電池８７が収納されており、内視鏡本体３０２に着脱自在な接続ジャック８８を介して電源を供給するようになっている。
【０１３７】
また、操作部３１０下方には、補助電池８２を内視鏡本体３０２内部に水密を保ちつつ収納する補助電池収納部８３が設けられている。
【０１３８】
図１１に示すように、光源ランプ３０５の光軸上には、集光レンズ３４７が操作部３１０内の図示しないレンズ枠に固定されて配設されており、集光レンズ３４７の焦点位置に光入射端面３２５が配置されるようにライトガイドファイバ３２４が配設されている。
【０１３９】
電源ユニット３０３を内視鏡本体３０２に装着していない図１１に示す状態では、内視鏡本体３０２内には、補助電池８２→光源ランプ３０５→電源スイッチ８６→電気接点８４ｂ→電気接点８４ｃ→補助電池８２という電流の流れの光源回路が構成されている。
【０１４０】
これにより、電源ユニット３０３が装着されている状態でも、光源ランプ３０５から照明光を発することができるようになっている。
【０１４１】
電気接点８４ｂは、弾性板バネ部材で形成されており、電気接点８４ｃのある方向に弾性力が生じるようになっている。これにより、電気接点８４ｂに外力が及ぼされない状態では、電気接点８４ｃが電気接点８４ｂに当接するようになっている。
【０１４２】
一方、電源ユニット３０３の接続ジャック８８には、電池８７のプラス極及びマイナス極とそれぞれ電気的に接続された電気接点８９ａ、８９ｂが配設されている。電気接点８９ａ、８９ｂの間には、絶縁ベース９０が配設されている。
【０１４３】
また、内視鏡本体３０２には、接続ジャック８８を着脱自在に接続できる電源ユニット接続部８５が配設されており、電源ユニット接続部８５に配設された電気接点８４ａ、８４ｂは、接続ジャック８８の電気接点８９ａ、８９ｂとそれぞれ電気的に接続できるようになっている。
【０１４４】
電気接点８４ａ、８４ｂ、８４ｃ、８９ａ、８９ｂは、いずれも電気抵抗の小さい部材で形成されている。
【０１４５】
また、電池８７と補助電池８２とは同じ電圧のものを用いる。
【０１４６】
図１２に示すように、電源ユニット接続部８５に接続ジャック８８を接続すると、円筒形状の電気接点８９ａの中空部分に電気接点８４ａが差し込まれ、電気接点８９ａと電気接点８４ａとは電気的導通状態になり、また電気接点８９ａより径の大きい円筒形状の電気接点８９ｂの外周面に電気接点８４ｂがバネ弾性により当接し、電気接点８９ｂと電気接点８４ｂとは電気的導通状態になる。
【０１４７】
この時、電気接点８４ｂは電気接点８９ｂにより電気接点８４ｃから遠ざかる方向へ曲げられ、電気接点８４ｂと電気接点８４ｃとは電気的に開いた状態となる。
【０１４８】
この状態では、補助電池８２を含む光源回路は開いた状態となり、電池８７→電気接点８９ａ→電気接点８４ａ→光源ランプ３０５→電源スイッチ８６→電気接点８４ｂ→電気接点８９ｂ→電池８７という電流の流れの光源回路が構成される。
【０１４９】
また、図示しないが、電気接点８４ｂ、８９ｂの接触部において、電気接点８９ｂの外側面に平面部を形成し、この平面部に係合する凹部を電気接点８４ｂの対向する箇所に形成することで、接続された電源ユニット３０３が操作部３１０に対して回動したり、外れたりすることを防止できる。
【０１５０】
（作用）
以下、使用手順等の説明を通して作用を説明する。
【０１５１】
光源ランプ３０５を取り付けたランプホルダ３６３を操作部３１０下方のランプ取付け部に装着する。
【０１５２】
そして、補助電池８２を補助電池収納部８３に装填する。
【０１５３】
続いて、電池８７を装填した電源ユニット３０３の接続ジャック８８を操作部３１０の電源ユニット接続部８５に差し込み、連結させる。
【０１５４】
ランプホルダ３６３をＯＮ位置まで回動させ、電源ユニット３０３からの電流が接続ジャック８８、電源ユニット接続部８５を介して光源ランプ３０５に供給され、光源ランプ３０５が点灯する。
【０１５５】
この時、操作部３１０内の補助電池８２は、電源ユニット接続部８５の電気接点８４ｂ、８４ｃが離間しているため、光源ランプ３０５に電流を供給しない。
【０１５６】
光源ランプ３０５からの出射光は集光レンズ３４７により光入射端面３２５に集光し、ライトガイドファイバ３２４で伝送された光は光出射端面から前方に出射され患部等を照明する。
【０１５７】
観察時間が長くなり、電源ユニット３０３内の電池８７が減衰し、観察に支障が出る程照明光が暗くなってしまつた場合、先ず電源ユニット３０３を操作部３１０から抜き取る。
【０１５８】
すると、電源ユニット３０３から電流供給されなくなるとともに、瞬時に電源ユニット接続部８５の電気接点８４ｂの弾性変形が戻って電気接点８４ｃと接触する。
【０１５９】
すると、操作部３１０内に予め装填した補助電池８２を電源とした光源回路に切り替わり、補助電池８２からの電流が光源ランプ３０５に供給される。
【０１６０】
引き続き検査が長引く場合は、先程取り外した電源ユニット３０３内の電池８７を新しいものと交換し、補助電池８２の減衰の具合を見て、再度電源ユニット３０３を操作部３１０の電源ユニット接続部８５に差し込む。
【０１６１】
すると、電源ユニット３０３から光源ランプ３０５に電流が供給される。
【０１６２】
内視鏡による観察が終了したら、ランプホルダ３６３をＯＦＦ位置まで回動させ、光源ランプ３０５を消灯させる。
【０１６３】
（効果）
本実施の形態によれば、次に挙げる効果を得ることができる。
【０１６４】
内視鏡本体３０２内に補助電池８２を設け、通常使用する電池８７が切れた場合瞬時に補助電池８２に切り替えられる構成にしたので、予定以上に検査時間が長引いた場合でも、電源ユニット３０３を内視鏡本体３０２から引き抜くだけの容易な操作で、消灯することなく、補助電池８２を使用して照明光を維持することができる。
【０１６５】
また、電源ユニット３０３の電池８７を新しいものに交換し、電源ユニット３０３を内視鏡本体３０２に容易な操作で接続することで、消灯することなく、電池８７を使用して照明光を維持することができる。
【０１６６】
また、消灯することなく電池８７を交換することができるので、電池８７を大型化しなくても長時間照明光を維持することができる。
【０１６７】
同様に、消灯することなく補助電池８２を交換することができるので、補助電池８２を小型化でき、操作部の大型化を防ぐことができる。
【０１６８】
なお、本発明は、上述した実施の形態のみに限定されるものではなく、発明の要旨を逸脱しない範囲で種々変形実施可能である。
【０１６９】
例えば、第２の実施の形態で、ランプホルダ６３を回動操作する際の時計回り方向と反時計回り方向を逆にしてもよい。
【０１７０】
また、例えば、第２の実施の形態で、指標をランプホルダ６３後面に表示せずに、ランプホルダ６３後面周囲のランプハウス２０６に表示してもよい。
【０１７１】
[付記]
（付記項１）
照明光を発光するランプ等の発光手段と、
前記発光手段で発した照明光を導光するライトガイドファイバと、
前記発光手段に電流を供給する電源手段と、
を有する内視鏡装置であって、
前記電源手段に電気的に接続可能な前記電源手段とは別の補助電源手段
を具備したこと特徴とする内視鏡装置。
【０１７２】
（付記項２）
前記電源手段は乾電池或いは充電池からなり、
前記補助電源手段は乾電池或いは充電池からなり、
前記電源手段と前記補助電源手段とは並列接続されること、
を特徴とする付記項１の内視鏡装置。
【０１７３】
（付記項３）
前記電源手段は乾電池或いは充電池からなり、
前記補助電源手段は乾電池或いは充電池からなり、
前記電源手段と前記補助電源手段とは直列接続されること、
を特徴とする付記項１の内視鏡装置。
【０１７４】
（付記項４）
前記電源手段と前記補助電源手段との電気的接続を並列接続及び直列接続に切り替える手段、
具備したことを特徴とする付記項１の内視鏡装置。
【０１７５】
（付記項５）
照明光を発する光源ランプ等の光源手段と、
前記光源手段に電流を供給する内視鏡装置の操作部に着脱自在の電源手段と、
を有する内視鏡装置において、
前記操作部に、前記電源手段を前記操作部から取り外した際に前記電源手段に代わって前記光源手段に電流を供給する補助電源手段、
を具備したことを特徴とする内視鏡装置。
【０１７６】
（付記項６）
前記電源手段は乾電池或いは充電池からなり、
前記補助電源手段は乾電池或いは充電池からなること、
を特徴とする付記項５の内視鏡装置。
【０１７７】
（付記項７）
照明光を発する光源ランプ等の光源手段と、
前記光源手段から発せられた前記照明光を光入射端から入射し導光するライトガイドファイバと、
前記光源手段に電流を供給する電源手段と、
を有する内視鏡装置において、
前記光源手段から前記ライトガイドファイバの光入射端ヘ入射する照明光の入射角を変化させる光入射角可変手段、
を具備したことを特徴とする内視鏡装置。
【０１７８】
（付記項８）
前記光入射角可変手段を前記ライトガイドファイバと前記光源ランプとの間に配置したこと、
を特徴とする付記項７の内視鏡装置。
【０１７９】
（付記項９）
前記光入射角可変手段は、前記ライトガイドファイバと前記光源ランプとの間に配設された集光レンズの前後位置を移動させる手段により構成されること、
を特徴とする付記項８の内視鏡装置。
【０１８０】
（付記項１０）
前記光入射角可変手段は、前記光源ランプと前記ライトガイドファイバの光入射端の位置を固定する部材との相対的な前後位置を変更する手段により構成されること、
を特徴とする付記項７の内視鏡装置。
【０１８１】
（付記項７ないし付記項１０に係る従来の技術）
特願平８−２０４９２４号に記載のバッテリ式光源は、光源ランプの出射光を集光レンズを用いて内視鏡のライトガイドファイバ入射端に集光させている。ランプ、集光レンズ、ライトガイドファイバ入射端の位置関係は、内視鏡先端からの照明光が観察視野範囲をムラなく照明できるよう計算された位置に一義的に位置決めされている。
【０１８２】
（付記項５ないし付記項６の発明が解決しようとする課題）
従来、電源交換の間は、照明光が全く得られない状態になるため、内視鏡検査を一時中断しつまり一端患者から内視鏡装置を引き抜き、交換作業を行っていた。
【０１８３】
付記項５ないし付記項６の発明は、上記事情に鑑みてなされたものであり、バッテリ式光源の電源が切れても、それに代わって瞬時に光源ランプに電源を供給することのできる内視鏡装置を提供することを課題とする。
【０１８４】
（付記項７ないし付記項１０の発明が解決しようとする課題）
従来のバッテリ式光源は内視鏡の視野範囲を一様にムラ無く照明する様設計されているが、光量調整機構が無いため、深部の観察には光量が不足することがある。また、内視鏡検査中、電源残量低下とともに光量が減衰し、視野の確保が難しくなることがある。
【０１８５】
付記項７ないし付記項１０の発明は、上記事情に鑑みてなされたものであり、内視鏡本体のライトガイドファイバに入射する照明光の入射角度を調整可能とし、術中、その場の状況に応じた観察照明（配光角・明るさ）に調整することのできる内視鏡装置を提供することを課題とする。
【０１８６】
（付記項５ないし付記項６に係る課題を解決するための手段の補足）
照明光を導光するためのライトガイドファイバと、前記ライトガイドファイバの入射端に光を供給する光源ランプと、内視鏡操作部に着脱自在で前記光源ランプを点灯させるための電源とを操作部に設けた内視鏡において、前記電源を前記内視鏡の操作部から取り外したとき、前記電源にかわって光源ランプに電力を供給する補助電源手段を内視鏡操作部に設けることにより、使用中に主電源のバッテリ切れを起こしても検査を中断させることなく、瞬時に補助電源に切り替えて検査を続行することができる。
【０１８７】
（付記項７ないし付記項１０に係る課題を解決するための手段の補足）
照明光を導光するためのライトガイドファイバと、前記ライトガイドファイバの光入射端に光を供給する照明ランプと、前記照明ランプを点灯させるための電源を操作部に設けた内視鏡において、前記ライトガイドファイバへ入射する照明光の角度を変える光入射角度可変手段を設けることにより、内視鏡先端からの出射光の配光角度を適宜調整することができ、その場の状況に応じた観察照明光を得ることが可能となる。
【０１８８】
（付記項５ないし付記項６に係る効果の補足）
操作部に補助電源手段を設け、主の電源手段が切れた場合、瞬時に補助電源手段に切り替えられる構成にしたため、主の電源手段が切れた場合でも電源の交換作業のために検査を中断しなくて済む。また、主電源を内視鏡操作部から取り外すだけで電源の切換が瞬時に行われるため、検査時の時間ロスは全くない。
【０１８９】
（付記項７ないし付記項１０に係る効果の補足）
ライトガイドファイバに入射する照明光の入射角を可変としたため、状況に応じて容易に観察照明の配光角を変えることができる。また、視野中心をスポット的に照明することが可能となり、従来照明光が届かなかった深部の視野確保が確実に行えるとともに、電源残量低下時においても視野の確保が可能となる。
【０１９０】
【発明の効果】
照明光を発光するランプ等の発光手段と、
前記発光手段で発した照明光を導光するライトガイドファイバと、
前記発光手段に電流を供給する電源手段と、
を有する内視鏡装置であって、
前記電源手段に電気的に接続可能な前記電源手段とは別の補助電源手段
を具備したことによって、
携帯性を確保しつつ、通常より長時間観察する利用場面や通常より大きい光量の照明で観察する利用場面といった多様な利用場面への対応性を向上できる。
【図面の簡単な説明】
【図１】図１ないし図４は本発明の第１の実施の形態に係り、図１は内視鏡装置の全体構成を説明する説明図
【図２】バッテリ式光源及び補助電源ユニットの接続部分等の構造を説明する説明図
【図３】ライトガイド口金及びバッテリ式光源の接続部分等の構造を説明する説明図（（Ａ）はライトガイド口金側の構造、（Ｂ）はバッテリ式光源側の構造、（Ｃ）は（Ｂ）のＢ−Ｂ面を示す図、（Ｄ）は（Ｂ）のＡ方向からの矢視図）
【図４】ライトガイド口金及びバッテリ式光源を接続した際の構造を説明する説明図
【図５】図５ないし図９は本発明の第２の実施の形態に係り、図５はバッテリ式光源及び補助電源ユニットの接続部分等の構造を説明する説明図
【図６】ランプホルダが点灯位置にある際のランプハウスとライトガイド口金の接続部分周辺の構造を説明する説明図（（Ａ）は断面図、（Ｂ）はランプホルダ後面を示す図）
【図７】周回溝の展開図
【図８】ランプホルダが消灯位置にある際のランプハウス周辺の構造を説明する説明図（（Ａ）は断面図、（Ｂ）はランプホルダ後面を示す図）
【図９】ランプホルダが取り外し位置にある際のランプハウス周辺の構造を説明する説明図（（Ａ）は断面図、（Ｂ）はランプホルダ後面を示す図）
【図１０】図１０ないし図１２は本発明の第４の実施の形態に係り、図１０は内視鏡装置の全体構成を説明する説明図
【図１１】内視鏡本体及び電源ユニットの接続部分等の構造を説明する説明図
【図１２】内視鏡本体及び電源ユニットの接続部分等の構造を説明する説明図
【符号の説明】
１…内視鏡装置
２…内視鏡本体
３…バッテリ式光源
４…補助電源ユニット
５…光源ランプ
６…ランプハウス
７…補助電源接続部
８…バッテリハウス
９…挿入部
１０…操作部
１１…接眼部
１２…ライトガイド口金
１３…接続口金
１４…先端部
１５…湾曲部
１６…可撓部
１７…把持部
１８…湾曲操作レバー
１９…吸引ボタン
２０…吸引口金
２１…鉗子挿入口
２２…鉗子栓
２３…通気口金
２４…ライトガイドファイバ
２５…光入射端面
２６…ライトガイドロッド
２７…カバーガラス
２８…ネジ部
２９…固定ピン
３０…防熱カバー
３１…指標
３２…バネ
３３…ワッシャ
３４…摺動規制段部
３５…くびれ部
３６…スリット
３７…固定ダイヤル
３８…固定ネジ
３９…電池
４０…スイッチ
４１…電気接点
４２…ベース部材
４３…スプリング
４４…接点片
４５…電極
４６…電極受け孔
４７…集光レンズ
４８…レンズ保持筒
４９…水密リング
５０…カム溝
５１…配光角調整ダイヤル
５２…カムピン
５３…スリット
５４…プレート
５５…ピン溝
５７…溝部
５８…回動規制ピン
５９…導電板
５９ａ、５９ｂ…貫通孔
６１…補助電池
６２…固定ビス
６３…ランプホルダ
６４…ランプホルダ収納部
６５…ランプホルダ挿入口
６６…コイルバネ
６７…ランプ装着部材
６８…リフレクタ
６９…バネ押え部材
７０…接点ピン
７１…周回溝
７２…Ｏリング
７３…ランプ接点板
７４…固定ピン
７５…スイッチ接点板
７６…スプリング
７７…導電板
７８…スロープ部
７９…スロープ部
８０…クリック部
８１…ストッパ
８２…補助電池
８３…補助電池収納部
８４ａ、ｂ、ｃ…電気接点
８５…電源ユニット接続部
８６…電源スイッチ
８７…電池
８８…接続ジャック
８９ａ、ｂ…電気接点
９０…絶縁ベース
２０５…光源ランプ
２０６…ランプハウス
２１３…接続口金
３０１…内視鏡装置
３０２…内視鏡本体
３０３…電源ユニット
３０５…光源ランプ
３１０…操作部
３２４…ライトガイドファイバ
３２５…光入射端面
３４７…集光レンズ
３６３…ランプホルダ
【図１】
0004163296.tif 000002
【図２】
0004163296.tif 000003
【図３】
0004163296.tif 000004
【図４】
0004163296.tif 000005
【図５】
0004163296.tif 000006
【図６】
0004163296.tif 000007
【図７】
0004163296.tif 000008
【図８】
0004163296.tif 000009
【図９】
0004163296.tif 000010
【図１０】
0004163296.tif 000011
【図１１】
0004163296.tif 000012
【図１２】
0004163296.tif 000013